(57)【要約】【課題】  水槽内の水を排出するための排水路の排水弁より上流側に、リントを捕獲することが可能なフィルタを有するものにおける、フィルタ目詰まり時の水槽からの水の排出が失敗なく容易にできるようにする。【解決手段】  水槽３２内の水を排出するための排水路３９の排水弁より上流側に設けたフィルタ４１がリントで目詰まりしたとき（水槽３２内に水が溜まったままとなったとき）には、吸水切換手段にて、給水ポンプ５７の入口部に対し、水槽３２の底部に連通した吸水ホース７１を接続する状態とし、注水ケース５８（吐水切換手段）にて、給水ポンプ５７の出口部５７ｂに対し、機外に連通した吐水ホース８２を接続する状態とすることにより、水槽３２内の水を給水ポンプ５７により吸引して機外に排出できるようにした。【選択図】  図１
2006006631.tif 000002
【特許請求の範囲】
【請求項１】
水槽と、この水槽内の水を排出するための排水弁を有する排水路とを具え、その排水路の排水弁より上流側にリントを捕獲することが可能なフィルタを設けたものにおいて、
前記水槽に給水するためのポンプと、
このポンプが外部水源の水を吸込むための第１の吸水路と、
前記ポンプが前記水槽内の水を吸込むための第２の吸水路と、
これらの吸水路を前記ポンプの入口部に対して接続切換えする吸水切換手段と、
前記ポンプが吸込んだ水を前記水槽内に吐出するための第１の吐水路と、
前記ポンプが吸込んだ水を機外に吐出するための第２の吐水路と、
これらの吐水路を前記ポンプの出口部に対して接続切換えする吐水切換手段とを具備して成ることを特徴とする洗濯機。
【請求項２】
第１の吸水路がホースで構成され、吸水切換手段が、ホース接続部に対するそのホースの着脱に応じて吸水路の接続切換えをすることを特徴とする請求項１記載の洗濯機。
【請求項３】
洗剤を貯留する洗剤ケースを引出し可能に具え、吐水切換手段が、その洗剤ケースの位置に応じて吐水路の接続切換えをすることを特徴とする請求項１記載の洗濯機。
【請求項４】
水槽内の水位を検知する水位検知手段を具え、水槽内の水を排出する排水時に、所定時間経過しても水槽内の水位が下降しない検知結果であった場合には、異常報知をした後に、特定の操作がされることに基づき、ポンプを作動させ、その後の所定時間内に水槽内の水位が下降した検知結果であった場合に、ポンプを停止させるようにすることを特徴とする請求項１記載の洗濯機。
【請求項５】
異常報知をした後のポンプの作動後、水槽内の水位が下降しない、もしくは上昇した検知結果であった場合には、ポンプを停止させると共に、異常報知をすることを特徴とする請求項４記載の洗濯機。
【発明の詳細な説明】
【技術分野】
【０００１】
本発明は、水槽内の水を排出するための排水路の排水弁より上流側に、リント（糸くず）を捕獲することが可能なフィルタを有する洗濯機に関する。
【背景技術】
【０００２】
従来より、洗濯機においては、水槽を具えると共に、この水槽内の水を排出するための排水弁を有する排水路を具え、そして、その排水路の排水弁より上流側にリントを捕獲することが可能なフィルタを具えたものが供されている（特願２００３−１２３３８６号参照）。
【０００３】
図１０はその一例を示しており、外箱１の内部に配設された水槽２の底部に存する水溜器３からその外下方に、排水路４が設けられている。この排水路４は、詳細には、水溜器３に直結した機内ホース５と、この機内ホース５の先端部に入口部６ａを連結したフィルタ６と、このフィルタ６の図１１に示す出口部６ｂに入口部７ａを連結した排水弁７と、この排水弁７の出口部７ｂに連結した排水管８と、この排水管８の先端部に連結した機外側ホース９とから成っており、もって、水槽２の外下方に、水槽２内の水を排出するための排水弁７を有する排水路４が具えられ、そして、その排水路４の排水弁７より上流側にリントを捕獲することが可能なフィルタ６が具えられている。
【０００４】
なお、図１１において、１０は水槽２の図示しない溢水口から排水管８に連結した溢水ホースを示している。
そのほか、図１０に示す洗濯機においては、水槽２の内部にドラム１１が配設され、水槽２の背部には、ドラム１１を回転駆動するモータ１２が取付けられている。又、水槽２の背部には、除湿器１３が配設されている。水槽２の上方には、水槽２内の空気を除湿器１３を通して循環させるためのダクト１４が配設され、このダクト１４の途中部に、循環ファン１５とヒータ１６とが配設されている。この構成で、水槽２内の空気を除湿すると共に加熱しつつ、矢印Ａで示すように循環させることにより、洗濯物の乾燥を行うようになっている。
【０００５】
なお、洗濯物の洗濯と脱水は、ドラム１１を回転させることにより行うようになっている。又、その洗濯を行うために、ダクト１４の上方には、給水弁１７と、給水ポンプ１８、及び注水ケース１９が配設されている。このうち、給水弁１７は、図示しない水道や給湯器の水栓に接続され、そこから供給される水を接続管２０を通じて注水ケース１９に送り、一方、給水ポンプ１８は、図示しない浴槽等の外部水源に図示しない接続ホースを通じて接続され、そこから供給される風呂水等の水を接続管２１を通じて注水ケース１９に送るようになっており、そのそれぞれ送られた水を注水ケース１９が給水管２２を通じて水槽２内に供給するようになっている。
更に、前記水溜器３内には、洗濯水を加熱するヒータ２３が配設されている。
【発明の開示】
【発明が解決しようとする課題】
【０００６】
上記従来のものの場合、洗濯を行ったときには、排水時に、水槽２内の水が図１１に矢印Ｂで示すように排水路４を通じて機外に排出される。その折り、洗濯運転で洗濯物から遊離したリントも、排出される水と共に流れ、フィルタ６で捕獲される。
【０００７】
又、乾燥を行ったときには、除湿器１３では、それが水冷式であって、特には循環空気に対し、それの流れとは逆の方向に（上から下へ）除湿器１３内に水を注入し、それにより循環空気が冷却されて除湿されるものであるから、乾燥運転で洗濯物から遊離したリントも、循環空気に運ばれて除湿器１３内に至ったところで上記除湿用の水に遭い、落とし流されて除湿器１３内から排出される。その排出先は水槽２内の底部であり、従って、更にそこから上述同様に排水路４を通じて水と共に流れ、フィルタ６で捕獲される。
【０００８】
このフィルタ６でリントが捕獲されることにより、フィルタ６が目詰まりすると、水槽２内から排水路４を通じての排水がほとんどなされなくなり、水槽２内に水が溜まったままとなる。このため、フィルタ６を掃除する必要が生じる。フィルタ６は、その内部にリント捕獲部材２４を具え、これを取出すことにより、捕獲したリントの除去ができるが、不用意にリント捕獲部材２４を取出せば、排水路４の途中部が開くことによって、そこから水槽２内に溜まった大量の水が一気に出、そこら一帯を水浸しにしてしまう。
【０００９】
これを避けるためには、外箱１前面の扉２５を開けて水槽２内の水を汲み出せば良いが、扉２５は、水槽２内に所定量以上の水が溜まるとロックされて開かない仕組みになっているため、それもできない。
このため、一般には、扉２５より下方に存するフィルタ口２６から小蓋２７を開けてフィルタ６のリント捕獲部材２４を少し引出し、直後に戻し入れるということを繰り返すことによって、水槽２内に溜まった水を少しずつ出すということが行われる。
【００１０】
しかしながら、その作業は手数と時間のかかるものであり、面倒であった。又、その場合、誤ってリント捕獲部材２４の全部を一遍に引出してしまうことがあって、それにより、前述のごとく、水槽２内に溜まった大量の水が一気に出、そこら一帯を水浸しにしてしまうという問題を生じる可能性が多分にあった。
【００１１】
本発明は上述の事情に鑑みてなされたものであり、従ってその目的は、水槽内の水を排出するための排水路の排水弁より上流側に、リントを捕獲することが可能なフィルタを有するものにおける、フィルタ目詰まり時の水槽からの水の排出が失敗なく容易にでき、ひいてはフィルタの掃除が失敗なく容易にできる洗濯機を提供するにある。
【課題を解決するための手段】
【００１２】
上記目的を達成するために、本発明の洗濯機においては、水槽と、この水槽内の水を排出するための排水弁を有する排水路とを具え、その排水路の排水弁より上流側にリントを捕獲することが可能なフィルタを設けたものにおいて、前記水槽に給水するためのポンプと、このポンプが外部水源の水を吸込むための第１の吸水路と、前記ポンプが前記水槽内の水を吸込むための第２の吸水路と、これらの吸水路を前記ポンプの入口部に対して接続切換えする吸水切換手段と、前記ポンプが吸込んだ水を前記水槽内に吐出するための第１の吐水路と、前記ポンプが吸込んだ水を機外に吐出するための第２の吐水路と、これらの吐水路を前記ポンプの出口部に対して接続切換えする吐水切換手段とを具備して成ることを特徴とする。
【発明の効果】
【００１３】
上記手段によれば、吸水切換手段にて、ポンプの入口部に対し第１の吸水路を接続する状態とし、吐水切換手段にて、ポンプの出口部に対し第１の吐水路を接続する状態とすれば、ポンプは、風呂水など外部水源の水を吸入して水槽内に供給する。
これに対し、吸水切換手段にて、ポンプの入口部に対し第２の吸水路を接続する状態とし、吐水切換手段にて、ポンプの出口部に対し第２の吐水路を接続する状態とすれば、ポンプは、水槽内の水を吸入して機外に排出する。
【００１４】
従って、水槽内の水を排出するための排水路の排水弁より上流側に設けたフィルタがリントで目詰まりしたとき（水槽内に水が溜まったままとなったとき）には、上述の吸水切換手段にて、ポンプの入口部に対し第２の吸水路を接続する状態とし、吐水切換手段にて、ポンプの出口部に対し第２の吐水路を接続する状態とすることにより、水槽内の水をポンプにより吸引して機外に排出することができる。
【００１５】
かくして、フィルタからリント捕獲部材を少し引出して、直後に戻し入れるということを繰り返す面倒なく、又、誤ってリント捕獲部材の全部を一遍に引出してしまうというような失敗もなく、フィルタ目詰まり時の水槽からの水の排出ができ、ひいてはフィルタの掃除を失敗なく容易に行うことができる。
【発明を実施するための最良の形態】
【００１６】
以下、本発明の第１実施例（第１の実施形態）につき、図１ないし図８を参照して説明する。
まず、図１は、洗濯機の全体を縦断して表しており、外殻である外箱３１の内部に、水槽３２を、複数（１つのみ図示）の弾性支持装置３３により支持して配設している。水槽３２の内部には、洗濯槽であると共に脱水槽であり、更に乾燥槽でもあるドラム３４を配設し、これを、水槽３２の背面部に取付けたモータ３５により回転駆動するようにしている。なお、ドラム３４は、周壁に、脱水孔であると共に通気孔である通孔３６を多数（一部のみ図示）有している。
【００１７】
又、水槽３２の底部には、洗濯水加熱用のヒータ３７を内設した水溜器３８を水槽３２内と連通させて取付けており、これの外下方部に排水路３９を配設している。この排水路３９は、詳細には、水溜器３８に直結した機内ホース４０と、この機内ホース４０の先端部に入口部４１ａを連結したフィルタ４１と、このフィルタ４１の図２に示す出口部４１ｂに入口部４２ａを連結した排水弁４２と、この排水弁４２の出口部４２ｂに連結した排水管４３と、この排水管４３の先端部に連結した機外側ホース４４とから成っており、矢印Ｂで示すように、それらの順に水槽３２内の水を流して機外に排水するようになっている。
【００１８】
更に、そのうち、特にフィルタ４１は、内部にリント捕獲部材４５を有しており、これによってその内部を流れる水中からリントを捕獲することを可能としている。
かくして、水槽３２の外下方に、水槽３２内の水を排出するための排水弁４２を有する排水路３９を具え、そして、その排水路３９の排水弁４２より上流側にリントを捕獲することが可能なフィルタ４１を具えている。
【００１９】
又、図２において、４６は排水弁４２の内部でフィルタ４１の出口部４１ｂから排水弁４２内に通じる図示しない弁孔の開閉をする弁体を示している。
前記水槽３２及びドラム３４は、前面に開口部４７，４８を有しており、そのうちの水槽３２の開口部４７を、ベロー４９を介して、前記外箱３１の前面部に形成した洗濯物出入口５０に連ねている。又、その洗濯物出入口５０は、ドラム３４の開口部４８に臨み、扉５１により開閉されるようにしている。
【００２０】
一方、前記水槽３２の背部には、除湿器５２をも配設している。この除湿器５２は、この場合、水冷式であり、特には次に述べる循環空気に対し、それの流れとは逆の方向に（上から下へ）除湿器５２内に水を注入し、それにより循環空気を冷却して除湿するものである。
【００２１】
水槽３２の上方には、水槽３２内の空気を除湿器５２を通して循環させるためのダクト５３を配設しており、このダクト５３の途中部に、循環ファン５４とヒータ５５とを配設している。この構成で、水槽３２内の空気を除湿すると共に加熱しつつ、矢印Ａで示すように循環させることにより、洗濯物の乾燥を行うようになっている。
【００２２】
洗濯物の洗濯と脱水は、ドラム３４を回転させることにより行うようになっており、その洗濯を行うために、ダクト５３の上方には、給水弁５６と、給水ポンプ（ポンプ）５７、及び注水ケース５８を配設している。このうち、給水弁５６は、図示しない水道や給湯器の水栓に接続され、そこから供給される水を接続管５９を通じて注水ケース５８に送るようになっている。これに対して、給水ポンプ５７は、図示しない浴槽等の外部水源に図３に示す吸水ホース６０を通じて接続されるようになっており、このために、前記外箱３１の上壁には、吸水ホース６０を差込むためのホース差込口６１を形成している。
【００２３】
ここで、ホース差込口６１の直下（外箱３１内）には、接続器６２を配設している。この接続器６２は、この場合、逆Ｌ字状のパイプから成るもので、その屈曲部分には上面部にホース接続部であるホース受口６３を形成し、これの接続器６２内との境界部分に閉塞部材６４を設けている。この閉塞部材６４は、ゴム等の弾性シートから成り、その外側（図中左側）の一部を接続器６２に固着し、その他の部分を自由にして弾性変形（たわみ）可能としている。
【００２４】
又、それに対し、前記浴槽等の外部水源接続用の吸水ホース６０は、先端部に横（図中右側）向きに開放する口６５を有し、そのほかの周側面部や先端面部は閉塞していて、口６５の上方に、パッキン６６と、操作部６７を有するフック６８とを具えている。
【００２５】
この構成で、使用者が吸水ホース６０の先端部をホース差込口６１から外箱３１内に差込むと、図４に示すように、それが閉塞部材６４を押し開いて接続器６２のホース受口６３から接続器６２内に挿入され、その部分の底縁部である接続器６２内の屈曲部６２ａに当たったところで止められる。又、このとき、パッキン６６が接続器６２のホース受口６３の内周面に密に圧接する。更に、吸水ホース６０の先端部は、口６５以外の部分と閉塞部材６４とで接続器６２の一端側水路６２ｂと他端側水路６２ｃとの間を密に塞ぐ。そして、フック６８は、このとき、外箱３１のホース差込口６１隣に形成した通口６９を通って、接続器６２のホース受口６３縁部に形成したフック止め部７０に係合し、吸水ホース６０の先端部を上述の状態に保持する。
【００２６】
そして、その状態から、使用者が操作部６７を押圧操作すれば、フック６８がフック止め部７０から外れるので、後は、吸水ホース６０の先端部を引き抜くことにより、図３に示した状態に戻り、従って、閉塞部材６４が接続器６２の一端側水路６２ｂと他端側水路６２ｃとの間を開放し、ホース受口６３を塞ぐ。
しかして、接続器６２の他端側水路６２ｃは、前記給水ポンプ５７の入口部５７ａに連結しており、一端側水路６２ｂには吸水ホース７１の一端部を連結し、この吸水ホース７１の他端部を、図１に示すように、水溜器３８の底部、ひいては水槽３２の底部に接続している。
【００２７】
従って、図３に示した状態で給水ポンプ５７を作動させれば、水槽３２内の水が吸水ホース７１から矢印Ｃで示すように接続器６２の一端側水路６２ｂ、他端側水路６２ｃを順に通って給水ポンプ５７に吸入され、一方、図４に示した状態で給水ポンプ５７を作動させれば、浴槽等の外部水源の水が吸水ホース６０から（特に先端部では口６５から）矢印Ｄで示すように接続器６２の他端側水路６２ｃのみを通って給水ポンプ５７に吸入される。
【００２８】
かくして、吸水ホース６０が外部水源の水を吸込むための第１の吸水路として機能し、吸水ホース７１が水槽３２内の水を吸込むための第２の吸水路として機能するようになっており、更に、ホース受口６３と閉塞部材６４とを有する接続器６２は、それらの吸水路を給水ポンプ５７の入口部５７ａに対して接続切換えする吸水切換手段として機能するようになっている。
【００２９】
給水ポンプ５７は、上述の吸込んだ水を図１に示す出口部５７ｂから接続管７２を通じて注水ケース５８に送るようになっている。図５は、その注水ケース５８を詳細に表しており、上部の後部に接続管７２を連結した接続口７３を有している。接続口７３の下方には、注水ケース５８内を上下に仕切る仕切部７４を有していて、これの前側に多数の小孔によって注水部７５を形成している。更に、注水部７５の下方には、図示しない洗剤を貯留する洗剤ケース７６を引出し可能に有しており、この洗剤ケース７６の前部（注水ケース５８より前方に位置する部分）に磁石７７を埋設し、それに対向して注水ケース５８の前部には、リードスイッチ７８を埋設している。
【００３０】
これら磁石７７とリードスイッチ７８は、洗剤ケース７６の位置を検知する位置検知手段として機能するもので、洗剤ケース７６が図５に示す押込み位置にあるときには、磁石７７がリードスイッチ７８に近接することにより、リードスイッチ７８がオンし、一方、洗剤ケース７６が図６に示す引出し位置にあるときには、磁石７７がリードスイッチ７８から離間することにより、リードスイッチ７８がオフして、それぞれ洗剤ケース７６の位置に応じた検知信号を出力するようになっている。
【００３１】
そして、洗剤ケース７６下方の洗剤ケース７６底部には、注水部７５より後方の後部に後出口７９を形成し、注水部７５下方の前部に前出口８０を形成しており、更に、そのうちの後出口７９には吐水ホース８１の一端部を連結し、該吐水ホース８１の他端部を図１に示すように水槽３２の上部に接続している。又、前出口８０には吐水ホース８２の一端部を連結し、該吐水ホース８２の他端部を図２に示すように前記排水管４３に接続している。
【００３２】
ここで、注水ケース５８に洗剤ケース７６を押込んだ図５に示した状態では、前記給水ポンプ５７から接続管７２を通じて注水ケース５８に送られた水は、同図に矢印Ｅで示すように、注水部７５から洗剤ケース７６に落ち、その洗剤ケース７６から貯留洗剤を押し流して、あるいは単独に、該洗剤ケース７６の後下方に流れ落ちて、後出口７９から吐水ホース８１を通じ水槽３２内に供給される。
【００３３】
一方、注水ケース５８から洗剤ケース７６を引出した図６に示した状態では、前記給水ポンプ５７から接続管７２を通じて注水ケース５８に送られた水は、同図に矢印Ｆで示すように、注水部７５から洗剤ケース７６の後部に落ちると共に、直接注水ケース５８の底部にも落ち、それらが更に前出口８０から吐水ホース８２を通じて排水管４３に流れ、そして、機外側ホース４４を通じて機外に排出される。
【００３４】
かくして、吐水ホース８１が給水ポンプ５７の吸込んだ水を水槽３２内に吐出するための第１の吐水路として機能し、吐水ホース８２が給水ポンプ５７の吸込んだ水を機外に吐出するための第２の吐水路として機能するようになっており、更に、洗剤ケース７６を引出し可能に有する注水ケース５８は、それらの吐水路を給水ポンプ５７の出口部５７ｂに対して接続切換えする吐水切換手段として機能するようになっている。
【００３５】
なお、図２において、８３は水槽３２の図示しない溢水口から排水管４３に接続した溢水ホースを示している。
又、図７には、前記フィルタ４１の構成を詳細に表しており、その外殻を円筒状のフィルタケース８４で構成し、それの軸方向の一端部の開口部８４ａからフィルタケース８４内にリント捕獲部材４５を取出し可能に収納するようにしている。
【００３６】
リント捕獲部材４５は、第１の単位捕獲部材８５と第２の単位捕獲部材８６とから成り、更に、そのうちの第１の単位捕獲部材８５は、細棒状の歯８５ａを基体８５ｂに円筒状に配列して有すると共に、その基体８５ｂの反対側につまみ部８５ｃを有している。
第２の単位捕獲部材８６は、歯８６ａを第１の単位捕獲部材８５の歯８５ａと交差するするリブ状に多数有する円筒状にて、これを第１の単位捕獲部材８５の内部に挿入して重ねている。
【００３７】
なお、フィルタケース８４には、外側の第１の単位捕獲部材８５の歯８５ａに対応させて、それが遊嵌される多数の溝８７を内周面部に形成している。
又、前記外箱３１の前面部の下部には、フィルタ４１のリント捕獲部材４５を取出すためのフィルタ口８８を形成すると共に、該フィルタ口８８を開閉する小蓋８９を設けている。
【００３８】
以上に対して、図８には制御装置９０を示している。この制御装置９０は、洗濯機の作動全般を制御する制御手段として機能するもので、図示しない操作パネルの各種操作スイッチから成るスイッチ入力部９１より各種操作信号が入力されると共に、前記水槽３２内の貯留水位を検知すべく設けた水位検知手段である水位センサ９２から水位検知信号が入力され、更に、前記モータ３５の回転を検知すべく設けた回転センサ９３から回転検知信号が入力され、前記循環空気の温度を検知すべく設けた温度センサ９４から温度検知信号が入力され、前記リードスイッチ７８から洗剤ケース位置検知信号が入力されるようになっている。
【００３９】
そして、それらの入力並びにあらかじめ記憶された制御プログラムに基づいて、制御装置９０は、前記モータ３５を駆動するインバータ回路９５に駆動制御信号を与えるようになっており、そのほか、異常報知器であるブザー９６と、前記給水弁５６、洗濯水加熱用のヒータ３７、循環ファン５４、循環空気加熱用のヒータ５５、及び排水弁４２、を駆動する駆動回路９７に駆動制御信号を与えるようになっている。
【００４０】
次に、上記構成のものの作用を述べる。
図９に示すように、制御装置９０は、洗濯（洗い、すすぎ）を行ったときの排水時には、それが開始（ステップＳ１）されると、最初に排水弁４２を開放させ（ステップＳ２）、これによって、水槽３２内の水が排水路３９を通じて機外に排出される。この折り、洗濯運転で洗濯物から遊離したリントも、排出される水と共に流れ、フィルタ４１でリント捕獲部材４５により捕獲される。
【００４１】
又、前回の運転で乾燥を行ったときにも、除湿器５２では、それが水冷式であって、特には前述のように、循環空気に対し、それの流れとは逆の方向に除湿器５２内に水を注入し、それにより循環空気を冷却し除湿するものであるから、乾燥運転で洗濯物から遊離したリントも、循環空気に運ばれて除湿器５２内に至ったところで上記除湿用の水に遭い、落とし流されて除湿器５２内から排出される。その排出先は水槽３２内の底部であり、従って、更にそこから上述同様に排水路３９を通じて水と共に流れ、フィルタ４１でリント捕獲部材４５により捕獲されている。
【００４２】
この状況で、制御装置９０は、水位センサ９２からの水位検知信号（検知結果）により水槽２内の水位が所定の低水位（この場合、水位「０」）に達したか否か、すなわち、下降したか否かの判断をし（ステップＳ３）、下降した（ＹＥＳ）と判断されれば、次の脱水行程に進む（ステップＳ４）。
【００４３】
これに対し、フィルタ６が前述の捕獲したリントで目詰まりしていると、水槽３２内から前記排水路３９を通じての排水がほとんどなされず、水槽３２内には水が溜まったままとなる。このため、ステップＳ３では、下降していない（ＮＯ）と判断されるから、次に所定時間経過したか否かの判断をし（ステップＳ５）、経過していないと判断されるうちは、ステップＳ３に戻る。
【００４４】
ステップＳ３で下降していないと判断されるまま、ステップＳ５で経過した（ＹＥＳ）と判断されれば、制御装置９０は、次にブザー９６を作動させて異常報知をする（ステップＳ６）。この異常報知に基づき、使用者は、図３に示したように、吸水ホース６０の先端部を接続器６２のホース受口６３から引き抜く。これにより、給水ポンプ５７の入口部５７ａには吸水ホース７１が接続される。
【００４５】
そして、その後、特定の操作として、操作パネルの各種操作スイッチのうちの特定のスイッチ操作がなされたか否かの判断をし（ステップＳ７）、更にその後に、注水ケース５８から洗剤ケース７６が引出されているか否かの判断をする（ステップＳ８）。
ここで、洗剤ケース７６が引出されていなければ、磁石７７がリードスイッチ７８に近接していることにより、それが検知されて、上記ステップＳ８では、引出されていない（ＮＯ）と判断される。この場合、ステップＳ７に戻る。
【００４６】
洗剤ケース７６が引出されていれば、磁石７７がリードスイッチ７８から離間していることにより、それが検知され、上記ステップＳ８では、引出されている（ＹＥＳ）と判断される。この場合、次には、給水ポンプ５７を作動させる（ステップＳ９）。
【００４７】
すると、給水ポンプ５７は、この場合、図３に矢印Ｃで示したように、水槽３２内の水を吸水ホース７１から接続器６２の一端側水路６２ｂ、他端側水路６２ｃを順に通じて吸入し、この吸入した水槽３２内の水を接続管７２を通じて注水ケース５８に送る。しかして、注水ケース５８では、このときの洗剤ケース７６の位置に応じて、図６に矢印Ｆで示したように、送られた水槽３２内の水が、洗剤ケース７６の後部を経、あるいは直接落ちて前出口８０から吐水ホース８２を通じて排水管４３に流れ、そして、機外側ホース４４を通じて機外に排出される。
【００４８】
この後、制御装置９０は、所定時間が経過したか否かの判断をし（ステップＳ１０）、経過した（ＹＥＳ）と判断されたところで、水槽３２内の水位が下降したか否かの判断をし（ステップＳ１１）、下降した（ＹＥＳ）と判断されれば、その水位は「０」であるか否かの判断をし（ステップＳ１２）、「０」である（ＹＥＳ）と判断されたところで、給水ポンプ５７を停止させ（ステップＳ１３）、ステップＳ４に進む。
【００４９】
又、ステップＳ１１で、下降していない（ＮＯ）と判断されれば、ブザー９６を作動させて異常報知をすると共に、給水ポンプ５７を停止させて（ステップＳ１４）、運転を中断する。
【００５０】
なお、吸水ホース６０の先端部を接続器６２のホース受口６３に差込み、洗剤ケース７６を注水ケース５８に押込んだ状態では、給水ポンプ５７は、図４に矢印Ｄで示したように、浴槽など外部水源の水を吸水ホース６０から接続器６２の他端側水路６２ｃのみを通じて吸入し、この吸入した外部水源の水を接続管７２を通じて注水ケース５８に送る。しかして、注水ケース５８では、このときの洗剤ケース７６の位置に応じて、図５に矢印Ｅで示したように、送られた外部水源の水が、すべて洗剤ケース７６を経、該洗剤ケース７６の後下方に流れ落ちて、後出口７９から吐水ホース８１を通じ水槽３２内に供給される。従って、通常は、このようにして外部水源の水を水槽３２内に供給し、洗濯に使用する。
【００５１】
このように本構成のものでは、フィルタ４１が目詰まりして水槽３２内に水が溜まったままとなったとき、給水ポンプ５７の入口部５７ａに対して、水槽３２の底部に連通した吸水ホース７１（第２の吸水路）を接続する状態に切換え、給水ポンプ５７の出口部５７ｂに対しては、排水路３９の排水弁４２より下流側（機外側）にある排水管４３に連通した吐水ホース８２（第２の吐水路）を接続する状態に切換えることにより、給水ポンプ５７が、水槽３２内の水を吸入して機外に排出する。
【００５２】
かくして、水槽３２内の水を給水ポンプ５７により機外に排出できるので、従来の、フィルタ６からリント捕獲部材２４を少し引出して、直後に戻し入れるということを繰り返すような面倒がなく、又、誤ってリント捕獲部材２４の全部を一遍に引出してしまうというような失敗もなく、フィルタ４１目詰まり時の水槽３２からの水の排出ができ、ひいてはフィルタ４１の掃除を失敗なく容易に行うことができる。
【００５３】
又、特に本構成のものの場合、給水ポンプ５７が外部水源の水を吸込むための第１の吸水路がホース（吸水ホース６０）で構成され、上述の給水ポンプ５７の入口部５７ａに対する吸水路の接続切換えをする吸水切換手段である接続器６２が、ホース接続部（ホース受口６３）に対するそのホースの着脱に応じて吸水路の接続切換えをするようにしている。これにより、給水ポンプ５７の入口部５７ａに対する吸水路の接続切換えが容易にできる。
【００５４】
更に、本構成のものの場合、洗剤を貯留する洗剤ケース７６を注水ケース５８に引出し可能に具え、上述の給水ポンプ５７の出口部５７ｂに対する吐水路の接続切換えをする吐水切換手段である注水ケース５８が、その洗剤ケース７６の位置に応じて吐水路の接続切換えをするようにしている。これにより、給水ポンプ５７の出口部５７ｂに対する吐水路の接続切換えも容易にできる。
【００５５】
加えて、本構成のものの場合、水槽３２内の水位を検知する水位検知手段として水位センサ９２を具え、水槽３２内の水を排出する排水時に、所定時間経過しても水槽３２内の水位が下降しない検知結果であった場合には、異常報知をした後に、特定の操作がされることに基づき、給水ポンプ５７を作動させ、その後の所定時間内に水槽３２内の水位が下降した検知結果であった場合に、給水ポンプ５７を停止させるようにしている。これにより、フィルタ４１が目詰まりして水槽３２内に水が溜まったままとなったときの、水槽３２内からの排水がより確実にできる。
【００５６】
そして、本構成のものの場合、異常報知をした後の給水ポンプ５７の作動後、水槽３２内の水位が下降しない検知結果であった場合には、給水ポンプ５７を停止させると共に、異常報知をするようにしている。これにより、フィルタ４１が目詰まりして水槽３２内に水が溜まったままとなったときの、水槽３２内からの排水ができない異状が発生した状況（例えば上述の吸水路の接続切換え、吐水路の接続切換がなされていない）での運転の継続を回避することができ、且つ、それを使用者に知らしめることができる。
【００５７】
なお、この場合、水槽３２内の水位が上昇した検知結果で、給水ポンプ５７を停止させると共に、異常報知をするようにしても良い。
このほか、本構成のものにおいては、フィルタ４１のリント捕獲部材４５を円筒状に形成しており、これによって、リントを捕獲する面積を広く確保することができ、リントの捕獲性能を高く得ることができる。
【００５８】
又、リント捕獲部材４５は、第１の単位捕獲部材８５の歯８５ａと第２の単位捕獲部材８６の歯８６ａとが交差するものとしており、これによって、フィルタ４１を掃除する折りには、フィルタケース８４からリント捕獲部材４５を抜き出して、更に、第１の単位捕獲部材８５から第２の単位捕獲部材８６を抜き出すことにより、特に外側の第１の単位捕獲部材８５の歯８５ａに引かかって捕獲されたリントを第２の単位捕獲部材８６の歯８６ａで掻くようして取除くことができ、それだけ、フィルタ４１の掃除が容易にできる。
【００５９】
更に、フィルタケース８４には、外側の第１の単位捕獲部材８５の歯８５ａに対応させて、それが遊嵌される多数の溝８７を内周面部に形成しており、この溝８７によって、リントが多量に捕獲された状況でも、排水の水路を確保することができ、排水性能への影響を少なくすることができる。
但し、フィルタ４１の具体的構造は適宜設定すれば良い。
【００６０】
そのほか、本発明は上記し且つ図面に示した実施例にのみ限定されるものではなく、特に洗濯機全体としては、上述のドラム式に限られず、槽を縦軸状に有する縦軸形であっても良く、又、乾燥機能は具わっていなくても良いなど、要旨を逸脱しない範囲内で適宜変更して実施し得る。
【図面の簡単な説明】
【００６１】
【図１】本発明の第１実施例を示す全体の縦断側面図
【図２】排水路の排水弁及びフィルタ部分の拡大斜視図
【図３】吸水切換手段部分の拡大縦断面図
【図４】吸水切換手段部分の異なる状態での拡大縦断面図
【図５】吐水切換手段部分の拡大縦断面図
【図６】吐水切換手段部分の異なる状態での拡大縦断面図
【図７】フィルタの拡大分解斜視図
【図８】電気的構成のブロック図
【図９】作用説明のためのフローチャート
【図１０】従来例を示す図１相当図
【図１１】図２相当図
【符号の説明】
【００６２】
図面中、３２は水槽、３９は排水路、４１はフィルタ、４２は排水弁、５７は給水ポンプ（ポンプ）、５７ａは入口部、５７ｂは出口部、５８は注水ケース（吐水切換手段）、６０は吸水ホース（第１の吸水路）、６２は接続器（吸水切換手段）、６３はホース受口（ホース接続部）、７１は吸水ホース（第２の吸水路）、７６は洗剤ケース、８１は吐水ホース（第１の吐水路）、８２は吐水ホース（第２の吐水路）、９０は制御装置、９２は水位センサ（水位検知手段）、９６はブザー（異常報知器）を示す。
【図１】
2006006631.tif 000003
【図２】
2006006631.tif 000004
【図３】
2006006631.tif 000005
【図４】
2006006631.tif 000006
【図５】
2006006631.tif 000007
【図６】
2006006631.tif 000008
【図７】
2006006631.tif 000009
【図８】
2006006631.tif 000010
【図９】
2006006631.tif 000011
【図１０】
2006006631.tif 000012
【図１１】
2006006631.tif 000013